(57)【要約】【課題】容器形態が軟弱な商品の食い込みを防止する閉鎖板を取り付ける作業を著しく改善することができる自動販売機の商品搬出装置を提供する。【解決手段】売切検知スイッチ１４の開口部１３とロックレバー１８との間に位置する基板１２に形成された取付孔４１と、取付孔に回動自在に取り付けられ、ロックレバーに連動して商品通路に進出し、ロックレバーの商品係止部と基板との間の隙間を塞ぐ閉鎖板４２とを備えており、閉鎖板は、前記隙間を塞ぐための閉鎖部４５と、閉鎖部の上端に設けられ、商品通路側から取付孔内に差し込まれて当該取付孔に係合する係合腕４３を有する。【選択図】図２
2014038548.tif 000002
【特許請求の範囲】
【請求項１】
商品通路内の商品を最下位の商品から一個ずつ搬出する自動販売機の商品搬出装置において、
基板から前記商品通路に出没自在に軸支され、前記商品通路内の最下位の商品を保持するために突出する突出位置と、前記最下位の商品の保持を解放するために前記商品通路から退避する退避位置との間で回動されるゲートレバーと、
前記基板から前記商品通路に出没自在に軸支され、前記商品通路から退避する退避位置と、前記商品通路内の最下位から二番目の商品を保持する突出位置との間で回動されるロックレバーと、
これらゲートレバー及びロックレバーを前記突出位置と退避位置とに回動させる駆動機構と、
前記ロックレバーの上方に位置する前記基板に形成された開口部より前記商品通路に進出自在に設けられた商品検知レバーを有する売切検知スイッチと、
前記開口部と前記ロックレバーとの間に位置する前記基板に形成された取付孔と、
該取付孔に回動自在に取り付けられ、前記ロックレバーに連動して前記商品通路に進出し、前記ロックレバーの商品係止部と前記基板との間の隙間を塞ぐ閉鎖板とを備え、
該閉鎖板は、前記隙間を塞ぐための閉鎖部と、該閉鎖部の上端に設けられ、前記商品通路側から前記取付孔内に差し込まれて当該取付孔に係合する係合腕とを有することを特徴とする自動販売機の商品搬出装置。
【請求項２】
前記取付孔は、その高さが部分的に変更されていることを特徴とする請求項１に記載の自動販売機の商品搬出装置。
【請求項３】
前記取付孔は横長のスリットから成り、複数の高位部とそれらに連続し、且つ、それらより低い少なくとも一つの低位部から成る段差形状、又は、複数の前記低位部とそれらに連続した少なくとも一つの前記高位部から成る段差形状を呈しており、前記高位部の下縁は、前記低位部の上縁より低い位置とされると共に、
前記閉鎖板の係合腕は、複数箇所において前記高位部から前記低位部まで渡って前記取付孔内に差し込まれることを特徴とする請求項２に記載の自動販売機の商品搬出装置。
【請求項４】
前記係合腕は、左右に一対設けられ、左右の各係合腕のそれぞれが前記高位部から低位部まで渡って前記取付孔内に差し込まれると共に、
前記係合腕の外側に位置する部分には、当該係合腕との間に間隔を存して前記閉鎖部上端より上方に延在する突出部が形成されていることを特徴とする請求項３に記載の自動販売機の商品搬出装置。
【請求項５】
前記突出部の前記係合腕とは反対側の部分には、切欠部が形成されていることを特徴とする請求項４に記載の自動販売機の商品搬出装置。
【請求項６】
前記係合腕はヘアピンカーブ状に屈曲されていることを特徴とする請求項１乃至請求項５のうちの何れかに記載の自動販売機の商品搬出装置。
【請求項７】
前記係合腕は、クランク形の平板状を呈し、前記取付孔内に差し込まれた後、折曲可能とされていることを特徴とする請求項１乃至請求項５のうちの何れかに記載の自動販売機の商品搬出装置。
【請求項８】
前記係合腕は、鏃形状に屈曲されていることを特徴とする請求項１乃至請求項５のうちの何れかに記載の自動販売機の商品搬出装置。
【発明の詳細な説明】
【技術分野】
【０００１】
本発明は、商品通路内の最下位の商品から一個ずつ落下させて搬出する自動販売機の商品搬出装置に関し、特に容器形態が軟弱な商品の搬出トラブルを防止するものに関するものである。
【背景技術】
【０００２】
従来より自動販売機の商品搬出装置は、横倒しの姿勢の商品を収納する商品通路の下部に配置され、最下位の商品を保持する下ペダル（ゲートレバー）と、最下位の商品を搬出するときに下から二番目の商品を保持する上ペダル（ロックレバー）とを有していた。下ペダルは基端が基板に軸支され、先端側が基板から商品通路に突出する突出位置と、商品通路から退避する退避位置との間で移動自在であり、突出位置となるようにバネ付勢されている。一方、上ペダルは下ペダルの上側で基板に軸支され、商品通路に斜め上方に突出する突出位置と、商品通路から退避する退避位置とに移動自在であり、退避位置となるようにバネ付勢されている。
【０００３】
基板の背面には販売指令により励磁される電磁ソレノイドとそのプランジャに連結されたリンク機構が配設されており、電磁ソレノイドのプランジャとリンク機構は復帰バネにより下ペダルを突出位置にロックし、上ペダルを退避位置とする販売待機状態に保持される。そして、電磁ソレノイドが通電されると下ペダルはリンク機構によるロックが解除されて商品の荷重により退避位置に移動し、その後バネにより突出位置に復帰する。他方、上ペダルは退避位置から突出位置に移動し、下から二番目の商品を保持する。その後、電磁ソレノイドが非通電となると、下ペダルは突出位置でロックされて販売待機状態となり（最下位から二番目の商品が下ペダル上に落下して最下位の商品となる）、上ペダルは退避位置に復帰する。このようにして商品を一個ずつ搬出するものであった。
【０００４】
また、飲料容器の強度が弱いペットボトル容器入り飲料（容器形態が軟弱な商品）にあっては上方に積層された商品の荷重もあって上ペダルの商品係止部に係止された箇所が変形して上ペダルの商品係止部と基板との間の隙間に食い込んでしまう恐れがある。この隙間に商品容器が食い込んだ場合、上ペダルが待避位置に復帰できなくなるので、上ペダルの上方に位置する基板に形成された売切検知スイッチの商品検知レバー用の開口部に閉鎖板を取り付け、上ペダルの商品通路への進出に連動して閉鎖板を進出させ、上ペダルの商品係止部と基板間の隙間を塞ぐようにしていた（例えば、特許文献１参照）。
【先行技術文献】
【特許文献】
【０００５】
【特許文献１】特開２０１２−５９０８７号公報
【発明の概要】
【発明が解決しようとする課題】
【０００６】
しかしながら、上記特許文献１のように商品検知レバー用の開口部を利用して閉鎖板を取り付ける構造では、自動販売機の製造時に先ず閉鎖板を開口部取り付け、その後マイクロスイッチ等を取り付けなければならず、製造手順の自由度が少なくなる。また、既に設置されている自動販売機に閉鎖板を取り付ける対策の必要性が生じた場合には、商品搬出装置を取り外し、マイクロスイッチ等を取り外して閉鎖板を取り付けなければならず、対策時の作業が煩雑化する問題があった。
【０００７】
本発明は、係る従来の技術的課題を解決するためになされたものであり、容器形態が軟弱な商品の食い込みを防止する閉鎖板を取り付ける作業を著しく改善することができる自動販売機の商品搬出装置を提供することを目的とする。
【課題を解決するための手段】
【０００８】
上記課題を解決するために本発明は、商品通路内の商品を最下位の商品から一個ずつ搬出する自動販売機の商品搬出装置において、基板から商品通路に出没自在に軸支され、商品通路内の最下位の商品を保持するために突出する突出位置と、最下位の商品の保持を解放するために商品通路から退避する退避位置との間で回動されるゲートレバーと、基板から商品通路に出没自在に軸支され、商品通路から退避する退避位置と、商品通路内の最下位から二番目の商品を保持する突出位置との間で回動されるロックレバーと、これらゲートレバー及びロックレバーを突出位置と退避位置とに回動させる駆動機構と、ロックレバーの上方に位置する基板に形成された開口部より商品通路に進出自在に設けられた商品検知レバーを有する売切検知スイッチと、開口部とロックレバーとの間に位置する基板に形成された取付孔と、この取付孔に回動自在に取り付けられ、ロックレバーに連動して商品通路に進出し、ロックレバーの商品係止部と基板との間の隙間を塞ぐ閉鎖板とを備えており、この閉鎖板は、前記隙間を塞ぐための閉鎖部と、この閉鎖部の上端に設けられ、商品通路側から取付孔内に差し込まれて当該取付孔に係合する係合腕とを有することを特徴とする。
【０００９】
請求項２の発明の自動販売機の商品搬出装置は、上記発明において取付孔は、その高さが部分的に変更されていることを特徴とする。
【００１０】
請求項３の発明の自動販売機の商品搬出装置は、上記発明において取付孔は横長のスリットから成り、複数の高位部とそれらに連続し、且つ、それらより低い少なくとも一つの低位部から成る段差形状、又は、複数の低位部とそれらに連続した少なくとも一つの高位部から成る段差形状を呈しており、高位部の下縁は、低位部の上縁より低い位置とされると共に、閉鎖板の係合腕は、複数箇所において高位部から低位部まで渡って取付孔内に差し込まれることを特徴とする。
【００１１】
請求項４の発明の自動販売機の商品搬出装置は、上記発明において係合腕は、左右に一対設けられ、左右の各係合腕のそれぞれが高位部から低位部まで渡って取付孔内に差し込まれると共に、係合腕の外側に位置する部分には、当該係合腕との間に間隔を存して閉鎖部上端より上方に延在する突出部が形成されていることを特徴とする。
【００１２】
請求項５の発明の自動販売機の商品搬出装置は、上記発明において突出部の係合腕とは反対側の部分には、切欠部が形成されていることを特徴とする。
【００１３】
請求項６の発明の自動販売機の商品搬出装置は、上記各発明において係合腕はヘアピンカーブ状に屈曲されていることを特徴とする。
【００１４】
請求項７の発明の自動販売機の商品搬出装置は、請求項１乃至請求項５の発明において係合腕は、クランク形の平板状を呈し、取付孔内に差し込まれた後、折曲可能とされていることを特徴とする。
【００１５】
請求項８の発明の自動販売機の商品搬出装置は、請求項１乃至請求項５の発明において係合腕は、鏃形状に屈曲されていることを特徴とする。
【発明の効果】
【００１６】
本発明によれば、商品通路内の商品を最下位の商品から一個ずつ搬出する自動販売機の商品搬出装置において、基板から商品通路に出没自在に軸支され、商品通路内の最下位の商品を保持するために突出する突出位置と、最下位の商品の保持を解放するために商品通路から退避する退避位置との間で回動されるゲートレバーと、基板から商品通路に出没自在に軸支され、商品通路から退避する退避位置と、商品通路内の最下位から二番目の商品を保持する突出位置との間で回動されるロックレバーと、これらゲートレバー及びロックレバーを突出位置と退避位置とに回動させる駆動機構と、ロックレバーの上方に位置する基板に形成された開口部より商品通路に進出自在に設けられた商品検知レバーを有する売切検知スイッチと、開口部とロックレバーとの間に位置する基板に形成された取付孔と、この取付孔に回動自在に取り付けられ、ロックレバーに連動して商品通路に進出し、ロックレバーの商品係止部と基板との間の隙間を塞ぐ閉鎖板とを備えており、この閉鎖板は、前記隙間を塞ぐための閉鎖部と、この閉鎖部の上端に設けられ、商品通路側から取付孔内に差し込まれて当該取付孔に係合する係合腕とを有しているので、売切検知スイッチの組み立てとは無関係に閉鎖板を商品通路側から取付孔に取り付けることができるようになる。
【００１７】
これにより、生産時における商品搬出装置の組立作業性を著しく改善することができるのに加え、既存の自動販売機の商品搬出装置に閉鎖板を取り付ける際には、商品通路内に閉鎖板を挿入し、商品通路側から係合腕を取付孔に差し込み、係合させるだけで商品搬出装置に閉鎖板を取り付けることができるようになり、対策時の作業性も著しく良好なものとなる。
【００１８】
また、請求項２の発明によれば、上記発明に加えて取付孔は、その高さが部分的に変更されているので、閉鎖板を安定的に取付孔に取り付けることができるようになる。
【００１９】
この場合、例えば請求項３の発明の如く取付孔を横長のスリットとし、このスリットは複数の高位部とそれらに連続し、且つ、それらより低い少なくとも一つの低位部から成る段差形状、又は、複数の低位部とそれらに連続した少なくとも一つの高位部から成る段差形状を呈しており、高位部の下縁は、低位部の上縁より低い位置とされると共に、閉鎖板の係合腕は、複数箇所において高位部から低位部まで渡って取付孔内に差し込まれるようにすれば、スリット状の取付孔の係合腕に対する上下幅を、実質的に低位部の上縁と高位部の下縁間の幅とすることができるようになる。
【００２０】
これにより、スリット状の取付孔の上下幅寸法を縮小すること無く、閉鎖板を安定的に取付孔に取り付けることができるようになり、生産コストの削減を図ることができるようになる。
【００２１】
また、請求項４の発明によれば、上記発明に加えて係合腕は、左右に一対設けられ、左右の各係合腕のそれぞれが高位部から低位部まで渡って取付孔内に差し込まれると共に、係合腕の外側に位置する部分には、当該係合腕との間に間隔を存して閉鎖部上端より上方に延在する突出部が形成されているので、取付孔に係合した係合腕を支点とした閉鎖板の回動を安定的に行わせることができるようになると共に、商品通路に進出したときに突出部が基板に当たることで、閉鎖板が進出した状態も安定的に維持することが可能となる。
【００２２】
このとき、請求項５の発明の如く突出部の係合腕とは反対側の部分に、切欠部を形成すれば、商品を基板から離すためのガイド突起を基板に取り付ける際にも、突出部とガイド突起が干渉することがなくなる。
【００２３】
そして、請求項６の発明の如く閉鎖板の係合腕を、ヘアピンカーブ状に屈曲すれば、簡単な構成で閉鎖板の基板からの脱落を防止することができるようになる。これは請求項７の発明の如く係合腕をクランク形の平板状とし、取付孔内に差し込んだ後に折曲するようにしても同様であり、請求項８の発明の如く係合腕を鏃形状に屈曲させても閉鎖板の基板からの脱落を効果的に防止することができる。
【図面の簡単な説明】
【００２４】
【図１】本発明を適用した実施例の自動販売機の概略縦断側面図である。
【図２】図１の自動販売機の商品搬出装置の販売待機状態における前方斜視図である（実施例１）。
【図３】図２の商品搬出装置の縦断側面図である。
【図４】図２の商品搬出装置のゲートレバーの復帰途中の状態における後方斜視図である。
【図５】図２の商品搬出装置の閉鎖板を取り付ける前の状態の図である。
【図６】図２の商品搬出装置の基板の正面図である。
【図７】図６の取付孔の形状を示す正面図である。
【図８】図６の基板に閉鎖板を取り付けた状態の図である。
【図９】図８の取付孔部分の拡大図である。
【図１０】図２の商品搬出装置の商品搬出状態における前方斜視図である。
【図１１】図１０の商品搬出装置の縦断側面図である。
【図１２】図２の商品搬出装置のゲートレバーの復帰途中の状態における前方斜視図である。
【図１３】図１２の商品搬出装置の縦断側面図である。
【図１４】本発明の他の実施例の閉鎖板の斜視図である（実施例２）。
【図１５】図１４の閉鎖板の係合腕を取付孔に差し込んだ状態の商品搬出装置の要部拡大後方斜視図である。
【図１６】図１５において閉鎖板の係合腕を折曲した状態を示す図である。
【図１７】本発明のもう一つの他の実施例の閉鎖板の斜視図である（実施例３）。
【図１８】図１７の閉鎖板の係合腕を取付孔に係合させた状態の商品搬出装置の要部拡大後方斜視図である。
【発明を実施するための形態】
【００２５】
以下、本発明の実施の形態について、詳細に説明する。
【実施例１】
【００２６】
図１に示す実施例の自動販売機１は、所謂サーペンタイン式自動販売機であり、その商品収納庫２内には、前後に複数の商品コラム３が並設され、各商品コラム３の下部の商品通路４にそれぞれ本発明の商品搬出装置６が設置されている。尚、図１において７は商品収納庫２の前面を覆う扉８の下部に形成された商品取出口であり、各商品搬出装置６から搬出された商品は、この商品取出口７まで落下して取り出される。また、９は図示しない冷却装置の冷却器であり、この冷却器９で冷却された冷気を送風機１１で商品収納庫２内に循環することで、各商品コラム３内の商品通路４に充填された商品Ｓ（最下位の商品をＳ１、下から二番目の商品をＳ２で示す）を所定の温度に冷却するものである。
【００２７】
一方、本発明の商品搬出装置６は、図２〜図１３に示される。実施例の商品搬出装置６は、縦長矩形鋼板製の基板１２を備え、この基板１２の上部略中央に形成された開口部１３の裏側に対応してマイクロスイッチから成る売切検知スイッチ１４が取り付けられている。この売切検知スイッチ１４は開口部１３より商品通路４に進出自在に設けられた商品検知レバー１６を有しており、商品コラム２内に商品Ｓがある場合、商品検知レバー１６が開口部１３側に押される。商品検知スイッチ１４は係る商品検知レバー１６の動作によりＯＮ−ＯＦＦし、商品コラム２内の商品の有無を検知するものである。
【００２８】
開口部１３の下方における基板１２の略中央には、下端をシャフト１７により軸支されたロックレバー１８が横方向に延在して設けられており、シャフト１７を軸として商品通路４に出没自在に回動する。また、ロックレバー１８の裏面には、図４に示すように後方に突出した支持板１９が複数設けられており、この支持板１９には後方に向かって開口した案内溝２１が形成されている。この案内溝２１には、回転付与シャフト２２が架設されており、回転付与シャフト２２が上下動するとき、回転付与シャフト２２が案内溝２１をなぞって支持板１９を上下に回転させ、ロックレバー１８に対して上下の回転力を付与する。このロックレバー１８が商品通路４に突出して最下位から二番目の商品Ｓ２を保持する。
【００２９】
基板１２の下部には、最下位の商品Ｓ１を保持するためのゲートレバー２６が設置されている。このゲートレバー２６はシャフト２７により基板１２に軸支されており、上下方向に回動自在とされている。また、シャフト２７には図示しないバネが巻回されており、ゲートレバー２６を上方に付勢している。更に、ゲートレバー２６の裏面には、複数のストッパアーム２８が一体に形成されており、その基部がシャフト２７に軸支されている。
【００３０】
基板２１の裏面上部には、図４に示すようにソレノイド３１が設置されている。このソレノイド３１のプランジャ３２は、下方に向かって延在しており、プランジャ３２の下端には上下に延在して上下動自在の作動板３３が連結されている。この作動板３３の下端には復帰用バネ３４が連結されており、ソレノイド３１がプランジャ３２を吸引するときは、作動板３３が上方に引き上げられ、ソレノイド３１が吸引動作を終了したときは、復帰用バネ３４の付勢力により作動板３３が下方に移動する。
【００３１】
この作動板３３の上部には、前記回転付与シャフト２２が連結されており、作動板３３の上下動により、図１０〜図１３に示すようにロックレバー１８が商品通路４に出没するよう回動する。また、作動板３３の下端には、ストッパシャフト３６が固着されている。このストッパシャフト３６が下位にあるときは（ゲートレバー２６が待機位置にあるときは）、図３に示すようにストッパアーム２８の下端がこれに当たり、ゲートレバー２６の下方への回転を規制する。一方、ストッパシャフト３６が上方に移動するときは、この規制が解除され、ゲートレバー２６の下方への回動が許容される。
【００３２】
基板１２の裏面には、図４に示すように作動板３３を間にして左右に回転付与シャフト２２とストッパシャフト３６を上下に案内する案内部材３７、３８が形成されている。各案内部材３７、３８のうち、図４の向かって左側の案内部材３７は基板１２の側板が構成しており、右側の案内部材３８は上下に延在する棒体で構成されている。各案内部材３７、３８の上部には回転付与シャフト２２を案内する上案内孔３７Ａ、３８Ａが形成されており、下部にはストッパシャフト３６を案内する下案内孔３７Ｂ、３８Ｂが形成されている。
【００３３】
ゲートレバー２６のシャフト２７には図３や図１０に示すような一時保持機構３９が設けられている。この一時保持機構３９はソレノイド３１により引き上げられた作動板３３をストッパシャフト３６を介して保持すると共に、ゲートレバー２６が復帰したとき、ストッパシャフト３６を介して作動板３３の保持を解除するものである。そして、これらソレノイド３１、作動板３３、回転付与シャフト２２、ストッパシャフト３６、各案内部材３７、３８、一時保持機構３９等により、本発明におけるゲートレバー２６及びロックレバー１８の駆動機構を構成されている。
【００３４】
尚、１２Ａは商品Ｓを基板１２から離すための図示しないガイド突起を基板１２に取り付けるためのボルト孔である。
【００３５】
また、売切検知スイッチ１４の商品検知レバー１６が進出する開口部１３とその下方のロックレバー１８との間に位置する基板１２には、取付孔４１が形成されており、この取付孔４１に本発明における閉鎖板４２が商品通路４側から係合されて取り付けられる。この場合、実施例の取付孔４１は横長のスリットとされているが、通常鋼板製の基板１２に穿設することができるスリットの上下幅の狭さには限界がある。実施例の取付孔４１は基板１２に穿設可能な最小の上下幅Ｗ１を有する横長のスリットとされ、左右の高位部４１Ｈと、各高位部４１Ｈ間に位置して連続し、それらより低い低位部４１Ｌとから成る段差形状を呈している。そして、高位部４１Ａの下縁は、低位部４１Ｌの上縁より低い位置とされ、それらの上下方向の間隔Ｘ１は上下幅Ｗ１よりも小さくなるように設定されている。
【００３６】
尚、この出願において取付孔４１の高さとはスリット（孔）の上下方向の幅における中心を指すものとする。従って、実施例の取付孔４１は上記高位部４１Ｈにおいて部分的に高さが高く、低位部４１Ｌにおいて部分的に高さが低くなるように高さが変更されているものとする。また、上記間隔Ｘ１は閉鎖板４２の板厚よりも大きく設定されている（図７）。
【００３７】
一方、閉鎖板４２も横長の長方形状の鋼板から成り、ロックレバー１８よりも大きい横幅寸法を有した閉鎖部４５から本体が構成されている。この閉鎖部４５の縦幅寸法は、後述する係合腕４３が取付孔４１に係合された状態で、その先端（下端）がロックレバー１８の先端まで渡る大きさとされている。
【００３８】
閉鎖板４２の閉鎖部４５の上端（基端）中央部には、上方及び後方に延在した係合腕４３が所定の間隔で左右に一対設けられている。各係合腕４３は、この実施例では後側にヘアピンカーブ状に屈曲されている（図３）。尚、左右の各係合腕４３の外縁間の距離は、前記取付孔４１の左右の幅寸法よりも少許小さく設定されている。
【００３９】
また、各係合腕４３の外側に位置する部分には、当該係合腕４３との間に所定の間隔を存して閉鎖部４５の上縁より上方に延在する突出部４４が形成されている。そして、この左右の突出部４４の係合腕４３とは反対側の部分、即ち、閉鎖板４２の左右縁側の部分は切り欠かれて切欠部４６とされている。
【００４０】
このような形状の閉鎖板４２の係合腕４３は、そのヘアピンカーブの先端部が基板１２に形成された取付孔４１に商品通路４側から差し込まれ、その弾性を利用して当該取付孔４１に回動自在に係合される。このとき、左側の係合腕４３は取付孔４１の左側の高位部４１Ｈからその右側に連続する低位部４１Ｌまで渡ると共に、右側の係合腕４３は右側の高位部４１Ｈからその左側に連続する低位部４１Ｌまで渡って取付孔４１内に差し込まれる（図９）。これにより、係合腕４３にとって取付孔４１の上下幅は、実質的にこの低位部４１Ｌ上縁と高位部４１Ｈ下縁間の間隔Ｘ１の寸法の幅となる。
【００４１】
このとき、取付孔４１のスリットの上下幅Ｗ１は製造上閉鎖板４２の板厚に比較して相当大きなものとなるが、前述したように高位部４１Ｈの下縁と低位部４１Ｌの上縁との上下方向の間隔Ｘ１は、上下幅Ｗ１よりも小さく、閉鎖板４２（係合腕４３）の板厚より大きい寸法とされているので、閉鎖板４２の係合腕４３のガタ付きは少なくなる。これにより、スリット状の取付孔の上下幅寸法を、通常の製造限界以上に縮小すること無く、閉鎖板４２は安定的に取付孔４１に取り付けられるようになり、生産コストの削減を図ることができるようになる。また、係合腕４３はヘアピンカーブ状に屈曲されているので、閉鎖板４２が基板１２から脱落してしまう不都合も解消される。
【００４２】
更に、係合腕４３は、左右に一対設けられており、左右の各係合腕４３のそれぞれが高位部４１Ｈから低位部４１Ｌまで渡って取付孔４１内に差し込まれているので、取付孔４１に係合した係合腕４３を支点とした後述する閉鎖板４２の回動も安定的に行わせることができるようになる。更に、係合腕４３の外側に位置する部分には、閉鎖部４５上端より上方に延在する突出部４４が形成されているので、商品通路４に進出したときに突出部４４が基板１２に当たることで、閉鎖板４２が進出した状態が安定的に維持されるようになる。
【００４３】
ここで、前述したように基板１２のボルト孔１２Ａには商品Ｓを基板１２から離すための図示しないガイド突起が取り付けられるが、突出部４４の係合腕４３とは反対側の部分には切欠部４６を形成されているので、突出部４４とガイド突起が干渉することもなくなる。
【００４４】
以上の構成で、実施例の商品搬出装置６の動作を説明する。販売待機状態では、ロックレバー１８は図２、図３に示すように商品通路４から退避した退避位置とされており、閉鎖板４２は取付孔４１から吊り下がって基板１２の商品通路４側の面に沿った状態となっている。このとき、閉鎖板４２の下端（先端）は退避位置のロックレバー１８の先端（上端）に位置する商品係止部１８Ａの商品通路４側に対応して当接している（図３）。
【００４５】
一方、ゲートレバー２６は商品通路４に突出した突出位置とされて当該ゲートレバー２６上には最下位の商品Ｓ１が載った状態となり、ゲートレバー２６には下方への回転力が付与されているが、ゲートレバー２６のストッパアーム２８がストッパシャフト３６に当たっているため、ゲートレバー２６が下方に回動することはなく、最下位の商品Ｓ１を販売待機させている。
【００４６】
この状態で商品の販売信号が入力されたときは、ソレノイド３１が励磁され、プランジャ３２が上方に引き上げられる。これにより、回転付与シャフト２２が案内溝２１をなぞりながら支持板１９を押し上げるため、ロックレバー１８が図１１のように商品通路４に向かって突出する（突出位置）。この突出位置にてロックレバー１８上端（先端）の商品係止部１８Ａは最下位から二番目の商品Ｓ２に当接してそれを保持し、落下を規制するが、ロックレバー１８の上端の商品係止部１８Ａに閉鎖板４２の下端部が当接しているので、ロックレバー１８の突出に連動して閉鎖板４２も商品通路４に進出する（図１０、図１１）。
【００４７】
この状態で閉鎖板４２の先端（下端）は依然ロックレバー１８の上端に当接しているので、閉鎖板４２の閉鎖部４５は、ロックレバー１８の商品係止部１８Ａと基板１２との間の隙間（図１１にＧで示す）を塞ぐ。これにより、係る隙間Ｇに容器形態が軟弱な商品Ｓ２が食い込んでしまう不都合が防止される。
【００４８】
他方、プランジャ３２の引き上げ動作により、ストッパシャフト３６が上方に向かって移動するため、図１１に示すようにストッパシャフト３６がストッパアーム２８から外れ、ゲートレバー２６が商品Ｓ１の荷重により図３中の時計回りに回転して退避位置となる。これにより、最下位の商品Ｓ１が落下搬出される（図１０）。
【００４９】
その後、最下位の商品Ｓ１を落下搬出したゲートレバー２６は、図１２、図１３に示すように前述したバネの付勢力により突出位置（待機位置）に戻るように動作するが、突出位置に戻るとき、ソレノイド３１の励磁時間が終了して復帰用バネ３４の付勢力により作動板３３に下方への移動力が加わり、作動板３３が下方に向かって移動する。この作動板３３の移動により、ストッパシャフト３６が移動して、ストッパアーム２８の下端に当たり、ゲートレバー２６の下方への回動を規制する。
【００５０】
また、作動板３３の下方への移動により、回転付与シャフト２２が案内溝２１をなぞりながら再度下方に向かって移動する。これに伴い、ロックレバー１８が商品通路４から退避するように元の位置に戻る。それに連動して閉鎖板４２も元の吊り下がる状態に復帰する。これにより、商品係止部１８Ａによる保持が解除され、最下位から二番目の商品Ｓ２がゲートレバー２６上に落下し、販売待機状態となる（図２、図３）。
【００５１】
以上のように、本発明では売切検知スイッチ１４の商品検知レバー１６を進出させる開口部１とロックレバー１８との間に位置する基板１２に取付孔４１を形成し、この取付孔４１にロックレバー１８と連動して商品通路４に進出し、ロックレバー１８の商品係止部１８Ａと基板１２との間の隙間Ｇを塞ぐ閉鎖板４２を回動自在に取り付けているので、売切検知スイッチ１４の組み立てとは無関係に閉鎖板４２を商品通路４側から取付孔４１に取り付けることができる。
【００５２】
これにより、生産時における商品搬出装置６の組立作業性を著しく改善することができる。また、閉鎖板４２は、隙間Ｇを塞ぐための閉鎖部４５と、この閉鎖部４５の上端から上方及び後方に延在し、商品通路４側から取付孔４１内に差し込まれて当該取付孔４１に係合する係合腕４３を有しているので、既存の自動販売機１の商品搬出装置６に閉鎖板４２を取り付ける際にも、商品通路４の下部から当該商品通路４内に閉鎖板４２を挿入し、商品通路４側から係合腕４３を取付孔４１に差し込み、係合させるだけで商品搬出装置６に閉鎖板４２を取り付けることができるようになる。即ち、商品搬出装置６を商品コラム３から取り外すこと無く、商品通路４の下部から手探りで閉鎖板４２を挿入し、取付孔４１に簡単に取り付けることができるので、対策時の作業性も著しく良好なものとなる。
【実施例２】
【００５３】
次に、図１４乃至図１６は本発明の他の実施例の閉鎖板４２を示している。尚、各図において図１乃至図１３と同一符号で示すものは同一若しくは同様の機能を奏するものとする。この場合、係合腕４３は閉鎖部４５の上端から略直角に後方に折曲された平板状を呈し、且つ、クランク形とされている。
【００５４】
そして、この係合腕４３は商品通路４側から取付孔４１内に差し込まれた後、クランク形の溝４３Ａが取付孔４１の一側縁（実施例では向かって右側縁）に係合するように水平に移動される。この状態で各形動腕４３は取付孔４１の高位部４１Ｈと低位部４１Ｌにそれぞれ渡っている。その後、図１６に示すように何れか、若しくは、双方の係合腕４３を折曲する。尚、実施例では向かって左側の係合腕４３を折曲し易い形状としている。これにより、閉鎖板４２は取付孔４１に回動自在に係合される。
【００５５】
このような形状の係合腕４３によっても閉鎖板４２を商品通路４側から取付孔４１に簡単に取り付けることができるようになると共に、その脱落も確実に防止される。
【実施例３】
【００５６】
次に、図１７、図１８は本発明のもう一つの他の実施例の閉鎖板４２を示している。尚、各図において図１乃至図１６と同一符号で示すものは同一若しくは同様の機能を奏するものとする。この場合も係合腕４３は閉鎖部４５の上端から略直角に後方に折曲されているが、左右の係合腕４３の間に、もう一つ係合腕４３Ａが形成されている。この係合腕４３Ａは鋭角で屈曲されて鏃形状を呈している。
【００５７】
そして、この係合腕４３は同様に商品通路４側から取付孔４１内に差し込まれるが、その際、係合腕４３Ａはその弾性を利用して取付孔４１の低位部４１Ｌ内に押し込まれた後、復帰して回動自在に係合する。このような鏃形状の係合腕４３Ａによっても閉鎖板４２を商品通路４側から取付孔４１に簡単に取り付けることができるようになると共に、その脱落も確実に防止される。特に、既存の自動販売機１の商品搬出装置６に閉鎖板４２を取り付ける際に、この実施例によれば商品通路４の下部から当該商品通路４内に閉鎖板４２を挿入し、商品通路４側から鏃形状の係合腕４３を取付孔４１に押し込むだけで、商品搬出装置６を商品コラム３から取り外すことなく、簡単に閉鎖板４２を商品搬出装置６に取り付けることができるようになるので、対策時の作業性がより一層良好なものとなる。
【００５８】
尚、上記各実施例では取付孔４１を、左右の高位部４１Ｈとそれらの間の低位部４１Ｌとから構成したが、それに限らず、左右の低位部４１Ｌとそれらの間の高位部４１Ｈから構成してもよい。また、高位部４１Ｈと低位部４１Ｌを二つずつ或いはそれ以上交互に連続して構成し、係合腕４３が各高位部４１Ｈと低位部４１Ｌに渡って設けられるようにしてもよい。
【００５９】
また、実施例では取付孔４１を高位部４１Ｈと低位部４１Ｌから成る段差形状としたが、スリットの上下幅を狭くすることができる場合には、取付孔４１の上縁の一部を低く突出させ、及び／又は、下縁の一部を高く突出させ、これら突出部とそれに対向するスリットの縁部、又は、上下の突出部間に閉鎖板４２の係合腕４３が挿入されて保持されるようにしてもよい。その場合にも、突出部の位置で取付孔４１（スリット）の上下方向の幅における中心（この出願における取付孔４１の高さ）は部分的に高く、或いは、低く変更されることになる。
【符号の説明】
【００６０】
１  自動販売機
４  商品通路
６  商品搬出装置
１２  基板
１３  開口部
１４  売切検知スイッチ
１６  商品検知レバー
１８  ロックレバー
１８Ａ  商品係止部
２６  ゲートレバー
４１  取付孔
４２  閉鎖板
４３、４３Ａ  係合腕
４４  突出部
４５  閉鎖部
４６  切欠部
【図１】
2014038548.tif 000003
【図２】
2014038548.tif 000004
【図３】
2014038548.tif 000005
【図４】
2014038548.tif 000006
【図５】
2014038548.tif 000007
【図６】
2014038548.tif 000008
【図７】
2014038548.tif 000009
【図８】
2014038548.tif 000010
【図９】
2014038548.tif 000011
【図１０】
2014038548.tif 000012
【図１１】
2014038548.tif 000013
【図１２】
2014038548.tif 000014
【図１３】
2014038548.tif 000015
【図１４】
2014038548.tif 000016
【図１５】
2014038548.tif 000017
【図１６】
2014038548.tif 000018
【図１７】
2014038548.tif 000019
【図１８】
2014038548.tif 000020